(57)【要約】【課題】電子機器の設置作業時における人手による複雑な手作業と目視確認を排除し、設置作業にかかる作業時間および作業負荷を軽減させること。【解決手段】テスタ１０１は、データセンタ１００内に配設されたコンセントＣ１〜Ｃｎ群から選ばれた任意のコンセントＣｉに、電源プラグが接続されたことを検出すると、電力線通信ネットワークを構成する複数の送配電系統Ｋ１〜Ｋｎのうち、電源プラグの接続が検出されたコンセントＣｉを末端とする送配電系統Ｃｉに、送配電系統Ｃｉ固有の系統情報に関するリクエストをブロードキャストする。この結果、テスタ１０１は、送配電系統Ｃｉに取り付けられた情報処理装置１０２−ｉから送配電系統Ｃｉ固有の系統情報を受信し、受信された系統情報を表示画面に出力する。【選択図】図１
2010011585.tif 000002
【特許請求の範囲】
【請求項１】
電力線通信ネットワークを構成する複数の送配電系統にそれぞれ取り付けられた情報処理装置と、前記各送配電系統を介して電力線通信可能なテスタであって、
電子機器を設置する施設内に配設されたコンセント群から選ばれた任意のコンセントに、前記テスタの電源プラグが接続されたことを検出する検出手段と、
前記複数の送配電系統のうち、前記検出手段によって前記電源プラグの接続が検出されたコンセントを末端とする一の送配電系統に、当該一の送配電系統固有の系統情報に関するリクエストをブロードキャストする送信手段と、
前記送信手段によって前記リクエストがブロードキャストされた結果、前記一の送配電系統に取り付けられた一の情報処理装置から前記一の送配電系統固有の系統情報を受信する受信手段と、
前記受信手段によって受信された系統情報を出力する出力手段と、
を備えることを特徴とするテスタ。
【請求項２】
現在設置作業中の電子機器を接続すべき送配電系統の条件と、前記受信手段によって受信された一の送配電系統固有の系統情報と、を比較する比較手段を備え、
前記出力手段は、
前記比較手段によって比較された比較結果を出力することを特徴とする請求項１に記載のテスタ。
【請求項３】
複数台の電子機器の設置作業に関する一連の作業全体に含まれる作業手順と、前記各電子機器を接続すべき送配電系統の条件と、を関連付けて記憶するテーブルと、
特定の作業手順と関連付けて記憶された送配電系統の条件を前記テーブルの中から抽出する抽出手段と、を備え、
前記比較手段は、
前記抽出手段によって抽出された送配電系統の条件と、前記一の送配電系統固有の系統情報と、を比較することを特徴とする請求項２に記載のテスタ。
【請求項４】
電力線通信ネットワークを構成する一の送配電系統に取り付けられ、当該一の送配電系統を介してテスタと電力線通信可能な情報処理装置であって、
電子機器を設置する施設内に配設された前記一の送配電系統のコンセントに、前記テスタの電源プラグが接続された結果、前記一の送配電系統固有の系統情報に関するリクエストを前記テスタから受信する受信手段と、
前記受信手段によって前記リクエストが受信された場合、予め設定された前記一の送配電系統固有の系統情報を前記テスタに送信する送信手段と、
を備えることを特徴とする情報処理装置。
【請求項５】
前記一の送配電系統が特定の電子機器を接続すべき送配電系統の条件を満たしているか否かを判定する判定手段を備え、
前記受信手段は、
現在設置作業中の電子機器を接続すべき送配電系統の条件を前記テスタから受信し、
前記判定手段は、
前記受信手段によって受信された送配電系統の条件と、前記一の送配電系統固有の系統情報とを比較することにより、前記一の送配電系統が前記条件を満たしているか否かを判定し、
前記送信手段は、
前記判定手段によって判定された判定結果を前記テスタに送信することを特徴とする請求項４に記載の情報処理装置。
【請求項６】
前記送配電系統ごとに取り付けられた情報処理装置間を接続する通信ネットワークを介して、他の情報処理装置と通信する通信手段を備え、
前記通信手段は、
前記判定手段によって前記一の送配電系統が前記条件を満たしていないと判定された場合、前記現在設置作業中の電子機器を接続すべき送配電系統の探索要求を前記他の情報処理装置に送信することを特徴とする請求項４または５に記載の情報処理装置。
【発明の詳細な説明】
【技術分野】
【０００１】
この発明は、複数台の電子機器の設置作業にかかる複雑な手作業を排除する技術に関する。
【背景技術】
【０００２】
近年、データセンタの巨大化、高度複雑化により、ＣＥ（Ｃｕｓｔｏｍｅｒ  Ｅｎｇｉｎｅｅｒ）による手作業ですべての電子機器（たとえば、サーバ）の管理をおこなうことが難しくなってきている。しかし、サーバの設置・保守作業などには、いまだＣＥによる手作業と目視確認が必要であり、ＣＥのスキルに大きく依存している。
【０００３】
電子機器を設置する際には、各電子機器の使用目的や電圧、周波数などに応じて適切な送配電系統に接続する必要がある。ところが、データセンタの巨大化、高度複雑化にともなって送配電系統が複雑化している。たとえば、１万台の電子機器を設置するためには、ＣＥが作業手順書を確認しながら、データセンタ内に配設された１万個以上のコンセント群の中から適切な送配電系統のコンセントを選び、各電子機器を設置することとなる。
【０００４】
このとき、電子機器が正しい送配電系統に接続されているか否かを確認するために、測定機器を用いて各送配電系統の電圧や周波数を計測する、あるいは、送配電系統を識別するラベルをコンセントに貼付するなどの対策が講じられている。
【０００５】
従来において、このような人手による確認作業に頼らざるを得ない理由として、ＬＡＮケーブルやＦＣ（Ｆｉｂｒｅ  Ｃｈａｎｎｅｌ）ケーブルなどと違って、電子機器の電源ケーブルがどの送配電系統に接続されているのかを自動検査することができないという理由がある。なぜなら、電源ケーブルは通信用ではなく、端点（コンセント）にアドレスが割り振られることもないからである。
【０００６】
一方で、近年では、電力線に特定の周波数で変調したデータ信号を重畳して送信する通信技術が提供されている。この通信技術を利用した従来技術として、親機が接続されている電力線通信ネットワークに子機を接続した際、各子機間の電力線通信が可能か否かの確認をおこなう技術がある。
【０００７】
【特許文献１】特開２００７−３１８５１１号公報
【特許文献２】特表２００５−５３６９７１号公報
【発明の開示】
【発明が解決しようとする課題】
【０００８】
しかしながら、上述した電力線通信を利用した従来技術は、ある送配電系統に接続された電子機器間の電力線通信の可否を確認するものであり、各電子機器が正しい送配電系統に接続されているか否かを確認することはできない。このため、依然として電子機器の設置作業時における人手による複雑な手作業と目視確認が必要となり、設置作業にかかる作業時間および作業負荷が増大するという問題があった。
【０００９】
この発明は、上述した従来技術による問題点を解消するため、電子機器の設置作業時における人手による複雑な手作業と目視確認を排除し、設置作業にかかる作業時間および作業負荷を軽減させることを目的とする。
【課題を解決するための手段】
【００１０】
上述した課題を解決し、目的を達成するため、開示する技術は、電子機器を設置する施設内に配設されたコンセント群から選ばれた任意のコンセントに、テスタの電源プラグが接続されたことを検出し、電力線通信ネットワークを構成する複数の送配電系統のうち、前記電源プラグの接続が検出されたコンセントを末端とする一の送配電系統に、当該一の送配電系統固有の系統情報に関するリクエストをブロードキャストし、前記リクエストがブロードキャストされた結果、前記一の送配電系統に取り付けられた一の情報処理装置から前記一の送配電系統固有の系統情報を受信し、受信された系統情報を出力する。
【発明の効果】
【００１１】
この開示技術によれば、電子機器の設置作業時における人手による複雑な手作業と目視確認を排除し、設置作業にかかる作業時間および作業負荷を軽減させることができるという効果を奏する。
【発明を実施するための最良の形態】
【００１２】
以下に添付図面を参照して、このテスタおよび情報処理装置の好適な実施の形態を詳細に説明する。このテスタおよび情報処理装置では、電力線通信を利用して、電子機器を接続しようとしている送配電系統が正しいものであるかを検査することにより、人手による複雑な手作業と目視確認を排除し、設置作業にかかる作業時間および作業負荷を軽減させる。
【００１３】
（実施の形態１）
（データセンタの構成）
まず、実施の形態１にかかるデータセンタの構成について説明する。図１は、データセンタの構成図（その１）である。図１において、データセンタ１００は、複数台の電子機器（たとえば、サーバ）を設置可能な施設であり、運用上の仕様（性能）が異なる複数の送配電系統Ｋ１〜Ｋｎ（図１中、「系統Ｋ１〜Ｋｎ」）を備えている。
【００１４】
テスタ１０１は、ＣＥ（Ｃｕｓｔｏｍｅｒ  Ｅｎｇｉｎｅｅｒ）による電子機器の設置作業を支援するコンピュータ装置である。情報処理装置１０２−１〜１０２−ｎは、各送配電系統Ｋ１〜Ｋｎに１台ずつ取り付けられており、ＣＥが使用するテスタ１０１と第１のネットワークを介して電力線通信可能なコンピュータ装置である。
【００１５】
電力線通信とは、電気を送る電力線に特定の周波数で変調したデータ信号を重畳して送信する通信技術である。電力線通信としては、たとえば、ＰＬＣ（Ｐｏｗｅｒ  Ｌｉｎｅ  Ｃｏｍｍｕｎｉｃａｔｉｏｎ）がある。なお、ＣＥとは、電子機器の搬入、設置、保守（点検、修理）などをおこなう作業員である。
【００１６】
各送配電系統Ｋ１〜Ｋｎには、電子機器（テスタ１０１を含む）の電源ケーブルと各送配電系統Ｋ１〜Ｋｎの電力線とを接続するためのコンセントＣ１〜Ｃｎが備え付けられている。これらコンセントＣ１〜Ｃｎにテスタ１０１の電源プラグを挿入することで、各情報処理装置１０２−１〜１０２−ｎとテスタ１０１との間で電力線通信可能となる。
【００１７】
また、情報処理装置１０２−１〜１０２−ｎは、通信回線を通じてＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどの第２のネットワークに接続されている。情報処理装置１０２−１〜１０２−ｎ同士は、この第２のネットワークを介して相互に通信可能である。
【００１８】
個々の電子機器は、電力供給を受けるために送配電系統Ｋ１〜Ｋｎに接続して使用することとなるが、使用目的や電圧、周波数などに応じて適切な送配電系統Ｋ１〜Ｋｎに接続する必要がある。ところが、データセンタ１００の巨大化、高度複雑化により、送配電系統Ｋ１〜Ｋｎが複雑化するとともに、電子機器の設置台数が膨大なものとなってきている（たとえば、１万台）。
【００１９】
このため、電子機器の設置時における人手による測定機器、ラベル、系統図などを用いた目視確認が煩雑なものとなり、設置作業にかかる作業負担および作業時間が増大している。さらに、人手による目視確認では誤認識の可能性を排除することができないばかりか、参照すべきラベルの付け間違いや系統図の作成ミスがおこる可能性があった。
【００２０】
これでは、主系統の故障時における副系統への切り替えや停電時のバックアップ機能の起動など、不慮の電源切断時に期待する動作が適切におこなわれず、電子機器故障やデータ損失といった最悪の事態を引き起こす可能性があり、ひいてはデータセンタが提供するサービスの品質低下を招くという問題があった。
【００２１】
なお、ラベル（目印）や系統図に誤りがないことを確認することで初歩的なミスを削減することができるが、この確認作業には大がかりな点検作業が必要となる。このため、送配電系統の増設や性能変更などに合わせて、頻繁に確認作業をおこなうことは難しい。このようなことから、従来のように、ＣＥが作業手順書を確認しながら、すべての設置作業を手作業でおこなうことは難しくなってきている。
【００２２】
そこで、実施の形態１では、電子機器の設置作業時に、テスタ１０１を用いて各送配電系統Ｋ１〜Ｋｎの系統情報を提示する、あるいは、これから接続しようとしている送配電系統Ｋ１〜Ｋｎが正しいものであるか否かを自動検査することにより、ＣＥによる複雑な手作業と目視確認を排除し、設置作業にかかる作業時間および作業負荷を軽減させる手法を提案する。
【００２３】
（テスタの外観）
つぎに、実施の形態１にかかるテスタ１０１の外観について説明する。テスタ１０１には、持ち運び可能な可搬型と、電子機器に据え付けられる内蔵型とがあるが、ここでは可搬型のテスタの外観について説明する。
【００２４】
図２は、テスタの外観を示す斜視図である。図２において、テスタ１０１の筐体前面２１０には、ディスプレイ２０１と操作パネル２０２とが設けられている。また、テスタ１０１の筐体側面２２０には、各送配電系統Ｋ１〜ＫｎのコンセントＣ１〜Ｃｎ（図１参照）に挿入可能な電源プラグ２０４を有する電源ケーブル２０３が取り付けられている。
【００２５】
さらに、テスタ１０１の筐体側面２３０には、リムーバブルメディアや接続ケーブルなどを挿入可能なジャック２０５が設けられている。このジャック２０５に、データセンタ１００のシステムを構築するための作業手順情報を保持するリムーバブルメディアを挿入することで、テスタ１０１に作業手順情報を取り込むことができる。
【００２６】
ＣＥは、電源プラグ２０４をコンセントＣ１〜Ｃｎに挿入することで、各送配電系統Ｋ１〜Ｋｎの系統情報を確認することができる。このとき、テスタ１０１と各情報処理装置１０２−１〜１０２−ｎとの間では、各送配電系統Ｋ１〜Ｋｎの電力線を介した電力線通信がおこなわれている。
【００２７】
なお、テスタ１０１は、各送配電系統Ｋ１〜Ｋｎから電力供給を受けることとしてもよく、また、テスタ１０１に内蔵されたバッテリー（不図示）から電力供給を受けることとしてもよい。
【００２８】
（条件テーブルの記憶内容）
つぎに、テスタ１０１に用いられる条件テーブルの記憶内容について説明する。図３は、条件テーブルの記憶内容の一例を示す説明図である。図３において、条件テーブル３００には、複数台の電子機器の設置作業に関する一連の作業全体に含まれる作業手順ごとに、各電子機器を接続すべき送配電系統の条件を示す作業手順情報３００−１〜３００−ｍが記憶されている。
【００２９】
具体的には、作業手順情報３００−１〜３００−ｍは、作業手順番号、電子機器名、送配電系統ＩＤ、電圧、周波数およびＵＰＳ（Ｕｎｉｎｔｅｒｒｕｐｔｉｂｌｅ  Ｐｏｗｅｒ  Ｓｙｓｔｅｍｓ）に関する情報を有している。作業手順番号は、作業手順を特定する番号である。電子機器名は、電子機器の名称である。
【００３０】
送配電系統ＩＤは、送配電系統Ｋ１〜Ｋｎを識別する識別子である。電圧／周波数は、各送配電系統Ｋ１〜Ｋｎで使用される設計上の電圧／周波数［Ｖ／Ｈｚ］である。ＵＰＳは、停電や電源変動などの電源トラブルが発生した場合に、内部バッテリーを電源として、電子機器に電源を供給する装置の有無を示す情報である。
【００３１】
ここで、作業手順情報３００−１を例に挙げると、電子機器「ｈｏｓｔ＿１」は、電圧が２００［Ｖ］、周波数が６０［Ｈｚ］であり、ＵＰＳ有りの送配電系統Ｋ２に接続する条件が示されている。なお、一つの電子機器に複数系統を用いる場合には、複数系統（たとえば、主系統、副系統）の作業手順情報を有することとしてもよい。
【００３２】
また、各作業手順情報３００−１〜３００−ｍには、電圧／周波数の誤差範囲（たとえば、±１０［％］）、見込まれる瞬停時間（たとえば、２０［ｍｓ］以下、）、ＵＰＳのバックアップ時間、供給可能な電気容量、故障率、消費電力、力率、リップル電流／電圧などの設計値（誤差範囲を含む）を有することとしてもよい。
【００３３】
さらに、現在の各送配電系統Ｋ１〜Ｋｎの状況をあらわす情報として、実際に現在供給している電圧、電流、周波数の測定値や、残りのバックアップ可能時間、停電・その他障害発生の有無を示す情報を有することとしてもよい。
【００３４】
これら作業手順情報３００−１〜３００−ｍは、データセンタ１００に構築するシステムの物理設計情報から抽出することができる。具体的には、たとえば、ＣＡＤ（Ｃｏｍｐｕｔｅｒ  Ａｉｄｅｄ  Ｄｅｓｉｇｎ）にシステムの論理設計情報を与えることで、設計手順情報と物理設計情報とを作成する。
【００３５】
そして、物理設計情報から電子機器と送配電系統との結線情報を抽出することで、設計手順情報から特定される一連の作業全体に含まれる作業手順ごとの作業手順情報３００−１〜３００−ｍを作成することができる。このようにして作成された作業手順情報３００−１〜３００−ｍは、たとえば、リムーバブルメディアを介してテスタ１０１に取り込まれる。
【００３６】
なお、図示は省略するが、条件テーブル３００には、データセンタ１００にシステムを構築する際にＣＥが参照する作業手順書を識別する作業手順書ＩＤが保持されていてもよい。作業手順書とは、一連の作業全体に含まれる各作業手順において、ＣＥがおこなうべき作業内容を示す手順書である。ここでは、作業手順書ＩＤ「ＤＣＣＥ−Ａ」が保持されていることとする。
【００３７】
（コンピュータ装置のハードウェア構成）
つぎに、実施の形態１にかかるコンピュータ装置（テスタ１０１、情報処理装置１０２−１〜１０２−ｎ）のハードウェア構成について説明する。図４は、実施の形態１にかかるコンピュータ装置のハードウェア構成を示すブロック図である。
【００３８】
図４において、コンピュータ装置は、ＣＰＵ（Ｃｅｎｔｒａｌ  Ｐｒｏｃｅｓｓｉｎｇ  Ｕｎｉｔ）４０１と、ＲＯＭ（Ｒｅａｄ‐Ｏｎｌｙ  Ｍｅｍｏｒｙ）４０２と、ＲＡＭ（Ｒａｎｄｏｍ  Ａｃｃｅｓｓ  Ｍｅｍｏｒｙ）４０３と、磁気ディスクドライブ４０４と、磁気ディスク４０５と、光ディスクドライブ４０６と、光ディスク４０７と、ディスプレイ４０８と、Ｉ／Ｆ（Ｉｎｔｅｒｆａｃｅ）４０９と、操作パネル４１０と、を備えている。また、各構成部はバス４００によってそれぞれ接続されている。
【００３９】
ここで、ＣＰＵ４０１は、コンピュータ装置の全体の制御を司る。ＲＯＭ４０２は、ブートプログラムなどのプログラムを記憶している。ＲＡＭ４０３は、ＣＰＵ４０１のワークエリアとして使用される。磁気ディスクドライブ４０４は、ＣＰＵ４０１の制御にしたがって磁気ディスク４０５に対するデータのリード／ライトを制御する。磁気ディスク４０５は、磁気ディスクドライブ４０４の制御で書き込まれたデータを記憶する。
【００４０】
光ディスクドライブ４０６は、ＣＰＵ４０１の制御にしたがって光ディスク４０７に対するデータのリード／ライトを制御する。光ディスク４０７は、光ディスクドライブ４０６の制御で書き込まれたデータを記憶したり、光ディスク４０７に記憶されたデータをコンピュータに読み取らせたりする。
【００４１】
ディスプレイ４０８は、カーソル、アイコンあるいはツールボックスをはじめ、文書、画像、機能情報などのデータを表示する。このディスプレイ４０８は、たとえば、ＣＲＴ、ＴＦＴ液晶ディスプレイなどを採用することができる。
【００４２】
インターフェース（以下、「Ｉ／Ｆ」と略する。）４０９は、通信回線（電力線を含む）を通じてネットワーク４１４（たとえば、第１および第２のネットワーク）に接続され、このネットワーク４１４を介して他の装置に接続される。そして、Ｉ／Ｆ４０９は、ネットワーク４１４と内部のインターフェースを司り、外部装置からのデータの入出力を制御する。
【００４３】
操作パネル４１０（たとえば、図２に示したテスタ１０１の操作パネル２０２）は、文字、数字、各種指示などの入力のためのキーを備え、データの入力をおこなう。また、タッチパネル式の入力パッドやテンキーなどであってもよい。
【００４４】
（テスタの機能的構成）
つぎに、図１に示したテスタ１０１の機能的構成について説明する。まず、図５は、テスタの機能的構成を示すブロック図である。図５において、テスタ１０１は、入力部５０１と、検出部５０２と、送信部５０３と、受信部５０４と、比較／判定部５０５と、出力部５０６と、を含む構成である。
【００４５】
この制御部となる機能（入力部５０１〜出力部５０６）は、具体的には、たとえば、図４に示したＲＯＭ４０２、ＲＡＭ４０３、磁気ディスク４０５、光ディスク４０７などの記憶領域に記憶されたプログラムをＣＰＵ４０１に実行させることにより、または、Ｉ／Ｆ４０９により、その機能を実現する。また、図５中矢印で示した接続先の機能は、接続元の機能からの出力データを記憶領域から読み込んで、当該機能に関するプログラムをＣＰＵ４０１に実行させるものとする。
【００４６】
テスタ１０１は、第１のネットワーク（電力線通信ネットワーク）を構成する各送配電系統Ｋ１〜Ｋｎに取り付けられた情報処理装置１０２−１〜１０２−ｎと電力線通信可能である。このテスタ１０１は、持ち運び可能な可搬型であってもよく、また、電子機器に据え付ける内蔵型であってもよい。
【００４７】
まず、入力部５０１は、電子機器を接続すべき送配電系統の条件の入力を受け付ける機能を有する。条件とは、送配電系統の電圧、周波数、ＵＰＳの有無、バックアップ時間、瞬停時間などを規定する情報である。送配電系統の条件は、たとえば、図２に示した操作パネル２０２（４１０）をユーザが操作することで入力することとしてもよく、また、外部装置（たとえば、後述する管理装置１８０１）から取得することとしてもよい。
【００４８】
このとき、データセンタ１００に設置する全電子機器についての条件を一括して入力することとしてもよい。この場合、データセンタ１００内のシステム構築にかかる一連の作業全体に含まれる作業手順と関連付けて、送配電系統の条件（たとえば、図３に示した作業手順情報３００−１〜３００−ｍ）を入力することとしてもよい。
【００４９】
なお、入力された作業手順情報３００−１〜３００−ｍは、図４に示したＲＡＭ４０３、磁気ディスク４０５、光ディスク４０７などの記憶領域によって実現される条件テーブル３００に記憶される。
【００５０】
また、入力部５０１は、現在の作業手順を特定する作業手順番号の入力を受け付けることとしてもよい。この場合、比較／判定部５０５により、条件テーブル３００の中から、入力部５０１によって入力された作業手順番号と関連付けて記憶されている作業手順情報３００−１〜３００−ｍが抽出されることとなる。
【００５１】
検出部５０２は、電子機器を設置するデータセンタ１００に配設されたコンセント群Ｃ１〜Ｃｎから選ばれた任意のコンセントＣｉ（ｉ＝１，２，…，ｎ）に、テスタ１０１の電源プラグ２０４が接続されたことを検出する機能を有する。具体的には、たとえば、テスタ１０１に対する送配電系統Ｋｉからの電気の供給が検出された時点で、電源プラグ２０４がコンセントＣｉに接続されたことを検出することとしてもよい。
【００５２】
送信部５０３は、複数の送配電系統Ｋ１〜Ｋｎのうち、検出部５０２によって電源プラグ２０４の接続が検出されたコンセントＣｉを末端とする送配電系統Ｋｉに、送配電系統Ｋｉ固有の系統情報に関するリクエストをブロードキャストする機能を有する。このリクエストのヘッダには、系統情報に関するリクエストをあらわすフラグが設定されている。
【００５３】
送配電系統Ｋｉにブロードキャストされると、送配電系統Ｋｉに接続されているすべての電子機器（情報処理装置１０２−ｉを含む）にリクエストが配信される。また、リクエストを受信した情報処理装置１０２−ｉは、ヘッダに設定されているフラグにより、テスタ１０１からの系統情報のリクエストを認識することができる。
【００５４】
なお、送信部５０３による送信タイミングは、任意に設定することができる。たとえば、電源プラグ２０４の挿入が検出されると自動送信することとしてもよく、また、電源プラグ２０４の挿入が検出された結果、ユーザにより操作パネル２０２の開始ボタンが押下されると送信することとしてもよい。
【００５５】
受信部５０４は、送信部５０３によってリクエストがブロードキャストされた結果、送配電系統Ｋｉに取り付けられた情報処理装置１０２−ｉから送配電系統Ｋｉ固有の系統情報を受信する機能を有する。ここで、送配電系統固有の系統情報の具体例について説明する。図６は、送配電系統固有の系統情報の具体例を示す説明図である。
【００５６】
図６において、系統情報６００には、送配電系統Ｋ１に関する送配電系統ＩＤ、電圧、周波数およびＵＰＳに関する情報が示されている。この系統情報６００によれば、送配電系統Ｋ１は、電圧が２００［Ｖ］、周波数が６０［Ｈｚ］であり、ＵＰＳを備えていることを認識することができる。
【００５７】
出力部５０６は、受信部５０４によって受信された送配電系統Ｋｉ固有の系統情報を出力する機能を有する。具体的には、たとえば、図６に示した系統情報６００を出力する。出力形式としては、たとえば、ディスプレイ４０８への表示、Ｉ／Ｆ４０９による外部装置への送信がある。また、ＲＡＭ４０３、磁気ディスク４０５、光ディスク４０７などの記憶領域に記憶することとしてもよい。なお、ディスプレイ４０８に表示される画面例については、図７〜図１０を用いて後述する。
【００５８】
比較／判定部５０５は、現在設置作業中の電子機器を接続すべき送配電系統の条件と、受信部５０４によって受信された送配電系統Ｋｉ固有の系統情報と、を比較する機能を有する。現在設置作業中の電子機器を接続すべき送配電系統の条件は、たとえば、操作パネル２０２を操作して、現在の作業手順番号を入力することで、条件テーブル３００の中から抽出することができる。
【００５９】
なお、電子機器に内蔵型のテスタ１０１の場合には、その電子機器を接続すべき送配電系統の条件が、上記記憶領域に予め記憶されていてもよい。この場合、比較／判定部５０５は、上記記憶領域に記憶されている送配電系統の条件と、受信部５０４によって受信された送配電系統Ｋｉ固有の系統情報と、を比較することとなる。
【００６０】
より具体的には、たとえば、比較／判定部５０５は、現在設置作業中の電子機器を接続すべき送配電系統と、テスタ１０１が現在接続されている送配電系統Ｋｉと、の送配電系統ＩＤ、電圧、周波数、瞬停時間、ＵＰＳの有無、バックアップ時間、電気容量、故障率、消費電力、力率、リップル電流／電圧のうち少なくともいずれかの設計値を比較することとしてもよい。
【００６１】
また、出力部５０６は、比較／判定部５０５によって比較された比較結果を出力することとしてもよい。具体的には、たとえば、上記設計値の比較結果をディスプレイ２０１（４０８）に表示する。これにより、ＣＥは、ディスプレイ２０１を確認するだけで、正しい送配電系統に接続されているか否かを判断することができる。
【００６２】
また、比較／判定部５０５は、上記比較結果に基づいて、テスタ１０１が正しい送配電系統に接続されているか否かを判定する機能を有する。具体的には、たとえば、上記設計値の一致判定をおこない、一致する場合に正しい送配電系統に接続されていると判定してもよい。たとえば、電圧、周波数は同一であるが運用上の仕様が異なることを考慮して、電圧、周波数およびＵＰＳの有無が一致する場合にのみ、正しい送配電系統に接続されていると判定してもよい。
【００６３】
また、各設計値の誤差範囲を考慮して、正しい送配電系統に接続されているか否かを判定してもよい。たとえば、電子機器を接続すべき送配電系統の条件が、電圧：１００［Ｖ］、周波数：６０［Ｈｚ］、各誤差範囲：１０［％］であったとする。この例では、送配電系統Ｋｉの電圧が９０〜１１０［Ｖ］、周波数が５４〜６６［Ｈｚ］であった場合に、電圧および周波数が誤差範囲内に収まっているため正しい送配電系統に接続されていると判定する。
【００６４】
さらに、現在設置作業中の電子機器を接続すべき送配電系統と、テスタ１０１が現在接続されている送配電系統Ｋｉとの送配電系統ＩＤが異なる場合であっても、他の設計値が一致する、あるいは、誤差範囲内である場合には、正しい送配電系統に接続されていると判定してもよい。
【００６５】
また、出力部５０６は、比較／判定部５０５によって判定された判定結果を出力することとしてもよい。具体的には、たとえば、正しい送配電系統に接続されているか否かを示すメッセージをディスプレイ４０８に表示する。これにより、ＣＥは、ディスプレイ４０８を確認するだけで、正しい送配電系統に接続されているか否かを把握することができる。
【００６６】
また、送信部５０３は、比較／判定部５０５によってテスタ１０１が誤った送配電系統に接続されていると判定された場合、現在設置作業中の電子機器を接続すべき送配電系統の探索要求を、送配電系統Ｋｉにブロードキャストすることとしてもよい。この探索要求のヘッダには、送配電系統の探索要求をあらわすフラグが設定されており、ボディには現在設置作業中の電子機器を接続すべき送配電系統の条件が記述されている。
【００６７】
また、受信部５０４は、送信部５０３によって上記探索要求がブロードキャストされた結果、テスタ１０１を接続すべき送配電系統の設置位置に関する位置情報を情報処理装置１０２−ｉから受信することとしてもよい。送配電系統の設置位置に関する位置情報とは、データセンタ１００における各送配電系統Ｋ１〜ＫｎのコンセントＣ１〜Ｃｎの設置位置をあらわす情報である。
【００６８】
この位置情報の具体例としては、データセンタ１００内のフロア番号、シマ番号、ラック番号などであってもよく、また、各送配電系統Ｋ１〜ＫｎのコンセントＣ１〜Ｃｎに貼付されているラベルの色（たとえば、赤、青など）であってもよい。さらに、フロア内の送配電系統の設置位置を強調表示するフロア画像であってもよい。
【００６９】
なお、上記探索要求がブロードキャストされた結果、条件を満たす送配電系統が探索されなかった場合には、テスタ１０１を接続すべき送配電系統が存在しない旨のメッセージ情報を情報処理装置１０２−ｉから受信することとしてもよい。
【００７０】
また、出力部５０６は、受信部５０４によって受信されたテスタ１０１を接続すべき送配電系統の位置情報を出力することとしてもよい。具体的には、たとえば、テスタ１０１を接続すべき送配電系統の位置を特定する位置情報をディスプレイ４０８に表示する。これにより、ＣＥは、ディスプレイ４０８を確認するだけで、接続すべき送配電系統の位置を把握することができる。
【００７１】
以下、電子機器の設置作業時に、可搬型のテスタ１０１のディスプレイ２０１（４０８）に表示される画面例について説明する。図７は、テスタのディスプレイに表示される画面例（その１）である。図７において、まず、テスタ１０１の電源が投入されると、作業手順書ＩＤの確認画面７１０がディスプレイ２０１に表示される。
【００７２】
ここで、ＣＥにより、作業手順書に記載されている作業手順書ＩＤと、ディスプレイ２０１に表示された作業手順書ＩＤと、が一致しているか否かを確認する。これは、テスタ１０１の条件テーブル３００に記憶されている作業手順情報３００−１〜３００−ｍと、作業手順書の記載内容との不整合を防ぐためである。
【００７３】
ここで一致する場合、ＣＥにより、操作パネル２０２を操作することで、これからおこなう作業手順の作業手順番号を入力する。ここでは、作業手順番号「ｊ」が入力されている（ｊ＝１，２，…，ｍ）。つぎに、ＣＥにより、テスタ１０１の電源プラグ２０４を任意のコンセントＣ１〜Ｃｎに挿入する。ここでは、コンセントＣ１に挿入されている。
【００７４】
電源プラグ２０４がコンセントＣ１に挿入されると、送配電系統Ｋ１固有の系統情報（たとえば、図６に示した系統情報６００）に関するリクエストがテスタ１０１から送配電系統Ｋ１にブロードキャストされ、問い合わせ中を示す待機画面７２０がディスプレイ２０１に表示される。
【００７５】
このあと、送配電系統Ｋ１に取り付けられた情報処理装置１０２−１からレスポンスがあり、かつ、そのレスポンスに系統情報が含まれている場合には、ディスプレイ２０１に系統情報画面７３０が表示される。これにより、ＣＥは、現在接続中の送配電系統Ｋ１の系統情報を確認することができる。
【００７６】
さらに、この送配電系統Ｋ１の系統情報と、作業手順書に記載されている作業手順番号ｊの作業内容とを照らし合わせることで、電子機器「ｈｏｓｔ＿ｊ」を接続しようとしている送配電系統Ｋ１が正しいものであるか否かを判断することができる。
【００７７】
つぎに、正しい送配電系統に接続されているか否かを自動判定する場合にディスプレイ２０１に表示される画面例について説明する。図８は、テスタのディスプレイに表示される画面例（その２）である。
【００７８】
図８において、まず、情報処理装置１０２−１から送配電系統Ｋ１の系統情報を受信すると、テスタ１０１が正しい送配電系統に接続されているか否かの判定処理が開始され、検査中を示す待機画面８１０がディスプレイ２０１に表示される。ここでは、作業手順番号ｊの作業手順情報３００−ｊと、送配電系統Ｋ１の系統情報との比較／判定処理が実行される。
【００７９】
ここで、正しい送配電系統に接続されていると判定された場合には、その旨のメッセージとともに検査終了を示す終了画面８２０がディスプレイ２０１に表示される。一方、誤った送配電系統に接続されていると判定された場合には、電子機器「ｈｏｓｔ＿ｊ」を接続すべき送配電系統の探索開始を示す開始画面８３０がディスプレイ２０１に表示される。
【００８０】
つぎに、電子機器「ｈｏｓｔ＿ｊ」を接続すべき送配電系統の探索要求が送配電系統Ｋ１にブロードキャストされた結果、ディスプレイ２０１に表示される画面例について説明する。図９は、テスタのディスプレイに表示される画面例（その３）である。
【００８１】
図９において、電子機器「ｈｏｓｔ＿ｊ」を接続すべき送配電系統の探索要求がテスタ１０１から送配電系統Ｋ１にブロードキャストされると、探索中を示す待機画面９１０がディスプレイ２０１に表示される。
【００８２】
このあと、電子機器「ｈｏｓｔ＿ｊ」を接続すべき送配電系統の設置位置に関する位置情報を情報処理装置１０２−１から受信すると、ディスプレイ２０１に位置情報画面９２０が表示される。これにより、ＣＥは、電子機器「ｈｏｓｔ＿ｊ」を接続すべき送配電系統の設置位置を把握することができる。
【００８３】
一方、電子機器「ｈｏｓｔ＿ｊ」を接続すべき送配電系統が探索されなかった場合には、その旨のメッセージとともに検査終了を示す終了画面９３０がディスプレイ２０１に表示される。なお、位置情報として、電子機器「ｈｏｓｔ＿ｊ」を接続すべき送配電系統の設置位置を強調表示するフロア画像を表示することとしてもよい。
【００８４】
図１０は、テスタのディスプレイに表示される画面例（その４）である。図１０において、電子機器「ｈｏｓｔ＿ｊ」を接続すべき送配電系統の設置位置を示す位置情報画面１０００がディスプレイ２０１に表示されている。
【００８５】
この位置情報画面１０００には、電子機器「ｈｏｓｔ＿ｊ」を接続すべき送配電系統の設置位置を強調表示１０１０するフロア画像１０００が表示されている。ＣＥは、このフロア画像１０１０を視認することにより、電子機器「ｈｏｓｔ＿ｊ」を接続すべき送配電系統の設置位置を直感的に把握することができる。
【００８６】
（情報処理装置の機能的構成）
つぎに、情報処理装置１０２−１〜１０２−ｎ（以下、単に「情報処理装置１０２」と表記する）の機能的構成について説明する。図１１は、情報処理装置の機能的構成を示すブロック図である。図１１において、情報処理装置１０２は、第１の受信部１１０１と、第１の送信部１１０２と、判定部１１０３と、第２の送信部１１０４と、第２の受信部１１０５と、出力部１１０６と、を含む構成である。
【００８７】
この制御部となる機能（第１の受信部１１０１〜出力部１１０６）は、具体的には、たとえば、図４に示したＲＯＭ４０２、ＲＡＭ４０３、磁気ディスク４０５、光ディスク４０７などの記憶領域に記憶されたプログラムをＣＰＵ４０１に実行させることにより、または、Ｉ／Ｆ４０９により、その機能を実現する。また、図１１中矢印で示した接続先の機能は、接続元の機能からの出力データを記憶領域から読み込んで、当該機能に関するプログラムをＣＰＵ４０１に実行させるものとする。
【００８８】
情報処理装置１０２は、第１のネットワーク（電力線通信ネットワーク）を構成する送配電系統Ｋ１〜Ｋｎ（以下、単に「送配電系統Ｋ」と表記する）に取り付けられ、送配電系統Ｋを介してテスタ１０１と電力線通信可能である。また、情報処理装置１０２は、インターネット、ＬＡＮ、ＷＡＮなどの第２のネットワークを介して他の情報処理装置１０２と相互に通信可能である。
【００８９】
また、情報処理装置１０２には、送配電系統Ｋ固有の系統情報が予め設定されている。なお、この系統情報は、図４に示したＲＯＭ４０２、ＲＡＭ４０３、磁気ディスク４０５、光ディスク４０７などの記憶領域に記憶されている。
【００９０】
まず、第１の受信部１１０１は、電子機器を設置するデータセンタ１００内に配設された送配電系統ＫのコンセントＣに、テスタ１０１の電源プラグ２０４が接続された結果、送配電系統Ｋ固有の系統情報に関するリクエストをテスタ１０１から受信する機能を有する。具体的には、リクエストのヘッダに設定されているフラグにより、送配電系統Ｋの系統情報に関するリクエストを認識することができる。
【００９１】
第１の送信部１１０２は、第１の受信部１１０１によってリクエストが受信された場合、予め設定された送配電系統Ｋ固有の系統情報をテスタ１０１に送信する機能を有する。具体的には、上記記憶領域から系統情報を読み出して、リクエストの送信元のテスタ１０１に系統情報を送信する。
【００９２】
また、第１の受信部１１０１は、現在設置作業中の電子機器を接続すべき送配電系統の探索要求をテスタ１０１から受信することとしてもよい。具体的には、探索要求のヘッダに設定されているフラグにより、送配電系統の探索要求を認識することができる。また、探索要求のボディの記述内容により、探索対象の送配電系統の条件を認識することができる。
【００９３】
判定部１１０３は、第１の受信部１１０１によって受信された探索要求に含まれている現在設置作業中の電子機器を接続すべき送配電系統の条件と、送配電系統Ｋ固有の系統情報とを比較することにより、送配電系統Ｋが上記条件を満たしているか否かを判定する機能を有する。なお、判定部１１０３による判定処理は、上述したテスタ１０１の比較／判定部５０５による判定処理と同様のため説明を省略する。
【００９４】
また、第１の送信部１１０２は、判定部１１０３によって判定された判定結果をテスタ１０１に送信することとしてもよい。具体的には、たとえば、上記条件を満たしている場合には、正しい送配電系統に接続されている旨のメッセージを送信し、一方、上記条件を満たしていない場合には、誤った送配電系統に接続されている旨のメッセージを送信する（図８参照）。
【００９５】
第２の送信部１１０４は、判定部１１０３によって送配電系統Ｋが上記条件を満たしていないと判定された場合、第１の受信部１１０１によって受信された探索要求を他の情報処理装置１０２に送信する機能を有する。具体的には、たとえば、上記探索要求を第２のネットワークにブロードキャストする。また、他の情報処理装置１０２のアドレスを保持している場合には、そのアドレスを宛先として探索要求を送信することとしてもよい。
【００９６】
第２の受信部１１０５は、他の情報処理装置１０２に上記探索要求が送信された結果、上記条件を満たす送配電系統の設置位置に関する位置情報を、当該送配電系統に取り付けられた他の情報処理装置１０２から受信する機能を有する。そして、第１の送信部１１０２は、第２の受信部１１０５によって受信された位置情報をテスタ１０１に送信する。
【００９７】
なお、他の情報処理装置１０２から位置情報を受信できなかった場合には、上記条件を満たす送配電系統が探索されなかった旨のメッセージをテスタ１０１に送信することとしてもよい。
【００９８】
また、判定部１１０３は、第２の受信部１１０５によって他の情報処理装置１０２からの探索要求を受信した場合には、その探索要求に含まれる送配電系統の条件と、自系統固有の系統情報とを比較することにより、自系統が条件を満たしているか否かを判定することとなる。
【００９９】
ここで、自系統が条件を満たしている場合、第２の送信部１１０４は、自系統の設置位置に関する位置情報を探索要求の送信元の他の情報処理装置１０２に送信する。一方、自系統が条件を満たしていない場合には、その旨を示すメッセージを送信元の他の情報処理装置１０２に送信することとしてもよい。
【０１００】
出力部１１０６は、判定部１１０３によって送配電系統Ｋが上記条件を満たしていると判定された場合、送配電系統ＫのコンセントＣに設けられた発光装置（たとえば、ＬＥＤ：Ｌｉｇｈｔ  Ｅｍｉｔｔｉｎｇ  Ｄｉｏｄｅ）に点灯信号を出力する機能を有する。なお、情報処理装置１０２と発光装置とは、送配電系統Ｋの電力線によって接続されていてもよく、他の専用回線によって接続されていてもよい。
【０１０１】
ここで、発光装置の具体例について説明する。図１２は、発光装置の具体例を示す説明図である。図１２において、発光装置１２００は、データセンタ１００内に配設されたコンセントＣ上部に設けられたＬＥＤである。この発光装置１２００は、情報処理装置１０２からの点灯信号を受信すると、一定期間（たとえば、５分間）ＬＥＤを発光させる機能を有している。
【０１０２】
ＣＥは、データセンタ１００内において、点灯している発光装置１２００を探し出すことにより、現在設置作業中の電子機器を接続すべき送配電系統の設置位置を把握することができる。
【０１０３】
なお、情報処理装置１０２に設定される送配電系統Ｋ固有の系統情報は、送配電系統Ｋの系統性能に変更があった場合などに、外部装置（たとえば、後述する管理装置１８０１）からの更新要求に応じて更新される。また、図４に示した操作パネル４１０をユーザが操作することで、更新情報を情報処理装置１０２に直接入力することとしてもよい。
【０１０４】
（テスタの作業支援処理手順）
つぎに、実施の形態１にかかるテスタ１０１の作業支援処理手順について説明する。図１３および図１４は、テスタの作業支援処理手順の一例を示すフローチャートである。図１３のフローチャートにおいて、まず、入力部５０１により、現在の作業手順を特定する作業手順番号が入力されたか否かを判断する（ステップＳ１３０１）。
【０１０５】
ここで、作業手順番号が入力されるのを待って（ステップＳ１３０１：Ｎｏ）、入力された場合（ステップＳ１３０１：Ｙｅｓ）、比較／判定部５０５により、条件テーブル３００の中から、入力された作業手順番号と関連付けて記憶されている作業手順情報３００−１〜３００−ｍを抽出する（ステップＳ１３０２）。
【０１０６】
このあと、検出部５０２により、データセンタ１００に配設されたコンセント群Ｃ１〜Ｃｎから選ばれた任意のコンセントＣｉに、テスタ１０１の電源プラグ２０４が接続されるのを待って（ステップＳ１３０３：Ｎｏ）、接続が検出された場合（ステップＳ１３０３：Ｙｅｓ）、送信部５０３により、送配電系統Ｋ１〜Ｋｎのうち、電源プラグ２０４の接続が検出されたコンセントＣｉを末端とする送配電系統Ｋｉに、送配電系統Ｋｉ固有の系統情報に関するリクエストをブロードキャストする（ステップＳ１３０４）。
【０１０７】
そして、受信部５０４により、一定時間内にリクエストに対するレスポンスを受信したか否かを判断する（ステップＳ１３０５）。なお、レスポンスの待機時間（上記一定時間）は、図４に示した操作パネル４１０をユーザが操作することで予め任意に設定されている。
【０１０８】
ここで、一定時間内にレスポンスを受信した場合（ステップＳ１３０５：Ｙｅｓ）、そのレスポンスに送配電系統Ｋｉ固有の系統情報が含まれているか否かを判断し（ステップＳ１３０６）、含まれている場合（ステップＳ１３０６：Ｙｅｓ）、比較／判定部５０５により、送配電系統Ｋｉ固有の系統情報と、ステップＳ１３０２において抽出された作業手順情報３００−１〜３００−ｍから特定される送配電系統の条件とを比較する（ステップＳ１３０７）。
【０１０９】
さらに、比較／判定部５０５により、その比較結果に基づいて、テスタ１０１が正しい送配電系統に接続されているか否かを判定する（ステップＳ１３０８）。ここで、正しい送配電系統に接続されている場合には（ステップＳ１３０８：Ｙｅｓ）、出力部５０６により、正しい送配電系統に接続されている旨のメッセージを出力して（ステップＳ１３０９）、本フローチャートによる一連の処理を終了する。
【０１１０】
一方、誤った送配電系統に接続されている場合には（ステップＳ１３０８：Ｎｏ）、出力部５０６により、誤った送配電系統に接続されている旨のメッセージを出力して（ステップＳ１３１０）、図１４に示すステップＳ１４０１に移行する。
【０１１１】
また、ステップＳ１３０５において、一定時間内にレスポンスを受信しなかった場合（ステップＳ１３０５：Ｎｏ）、リクエストのブロードキャスト回数が規定回数に到達したか否かを判断し（ステップＳ１３１１）、規定回数に到達していない場合には（ステップＳ１３１１：Ｎｏ）、ステップＳ１３０４に戻る。
【０１１２】
一方、規定回数に到達した場合には（ステップＳ１３１１：Ｙｅｓ）、出力部５０６により、リクエストに対するレスポンスがない旨のエラーメッセージを出力して（ステップＳ１３１２）、本フローチャートによる一連の処理を終了する。
【０１１３】
また、ステップＳ１３０６において、送配電系統Ｋｉ固有の系統情報が含まれていない場合（ステップＳ１３０６：Ｎｏ）、出力部５０６により、レスポンスに系統情報が含まれていない旨のエラーメッセージを出力して（ステップＳ１３１２）、本フローチャートによる一連の処理を終了する。
【０１１４】
つぎに、図１４のフローチャートにおいて、まず、送信部５０３により、現在設置作業中の電子機器を接続すべき送配電系統の探索要求を、送配電系統Ｋｉにブロードキャストする（ステップＳ１４０１）。そして、受信部５０４により、一定時間内に探索要求に対するレスポンスを受信したか否かを判断する（ステップＳ１４０２）。
【０１１５】
ここで、一定時間内にレスポンスを受信した場合（ステップＳ１４０２：Ｙｅｓ）、そのレスポンスにテスタ１０１を接続すべき送配電系統の設置位置に関する位置情報が含まれているか否かを判断し（ステップＳ１４０３）、含まれている場合（ステップＳ１４０３：Ｙｅｓ）、出力部５０６により、送配電系統の設置位置に関する位置情報を出力して（ステップＳ１４０４）、本フローチャートによる一連の処理を終了する。
【０１１６】
また、ステップＳ１４０２において、一定時間内にレスポンスを受信しなかった場合（ステップＳ１４０２：Ｎｏ）、探索要求のブロードキャスト回数が規定回数に到達したか否かを判断し（ステップＳ１４０５）、規定回数に到達していない場合には（ステップＳ１４０５：Ｎｏ）、ステップＳ１４０１に戻る。
【０１１７】
一方、規定回数に到達した場合には（ステップＳ１４０５：Ｙｅｓ）、出力部５０６により、探索要求に対するレスポンスがない旨のエラーメッセージを出力して（ステップＳ１４０６）、本フローチャートによる一連の処理を終了する。
【０１１８】
また、ステップＳ１４０３において、位置情報が含まれていない場合（ステップＳ１４０３：Ｎｏ）、出力部５０６により、テスタ１０１を接続すべき送配電系統が探索されなかった旨のエラーメッセージを出力して（ステップＳ１４０６）、本フローチャートによる一連の処理を終了する。
【０１１９】
（情報処理装置の作業支援処理手順）
つぎに、実施の形態１にかかる情報処理装置１０２の作業支援処理手順について説明する。図１５〜図１７は、情報処理装置の作業支援処理手順の一例を示すフローチャートである。図１５のフローチャートにおいて、まず、第１の受信部１１０１により、送配電系統Ｋ固有の系統情報に関するリクエストをテスタ１０１から受信したか否かを判断する（ステップＳ１５０１）。
【０１２０】
ここで、リクエストを受信するのを待って（ステップＳ１５０１：Ｎｏ）、受信した場合（ステップＳ１５０１：Ｙｅｓ）、送配電系統Ｋ固有の系統情報が設定されているか否かを判断し（ステップＳ１５０２）、設定されている場合（ステップＳ１５０２：Ｙｅｓ）、第１の送信部１１０２により、送配電系統Ｋ固有の系統情報をリクエストの送信元のテスタ１０１に送信して（ステップＳ１５０３）、本フローチャートによる一連の処理を終了する。
【０１２１】
一方、送配電系統Ｋ固有の系統情報が設定されていない場合（ステップＳ１５０２：Ｎｏ）、第１の送信部１１０２により、送配電系統Ｋ固有の系統情報が設定されていない旨のメッセージをリクエストの送信元のテスタ１０１に送信して（ステップＳ１５０４）、本フローチャートによる一連の処理を終了する。
【０１２２】
つぎに、第１のネットワークを介して受信されたテスタ１０１からの探索要求を、第２のネットワークを介して他の情報処理装置１０２に転送する場合の作業支援処理手順について説明する。
【０１２３】
図１６のフローチャートにおいて、まず、第１の受信部１１０１により、現在設置作業中の電子機器を接続すべき送配電系統の探索要求をテスタ１０１から受信したか否かを判断する（ステップＳ１６０１）。
【０１２４】
ここで、探索要求を受信するのを待って（ステップＳ１６０１：Ｎｏ）、受信した場合（ステップＳ１６０１：Ｙｅｓ）、第２の送信部１１０４により、受信された探索要求を他の情報処理装置１０２にブロードキャストする（ステップＳ１６０２）。
【０１２５】
そして、第２の受信部１１０５により、一定時間内に探索要求に対するレスポンスを受信したか否かを判断する（ステップＳ１６０３）。ここで、一定時間内にレスポンスを受信した場合（ステップＳ１６０３：Ｙｅｓ）、そのレスポンスに探索要求を満たす送配電系統の設置位置に関する位置情報が含まれているか否かを判断する（ステップＳ１６０４）。
【０１２６】
ここで、位置情報が含まれている場合（ステップＳ１６０４：Ｙｅｓ）、第１の送信部１１０２により、探索要求を満たす送配電系統の設置位置に関する位置情報を、探索要求の送信元のテスタ１０１に送信して（ステップＳ１６０５）、本フローチャートによる一連の処理を終了する。
【０１２７】
また、ステップＳ１６０３において、一定時間内にレスポンスを受信しなかった場合（ステップＳ１６０３：Ｎｏ）、探索要求のブロードキャスト回数が規定回数に到達したか否かを判断し（ステップＳ１６０６）、規定回数に到達していない場合には（ステップＳ１６０６：Ｎｏ）、ステップＳ１６０２に戻る。
【０１２８】
一方、規定回数に到達した場合には（ステップＳ１６０６：Ｙｅｓ）、第１の送信部１１０２により、探索要求を満たす送配電系統が探索されなかった旨のエラーメッセージを送信して（ステップＳ１６０７）、本フローチャートによる一連の処理を終了する。
【０１２９】
つぎに、第２のネットワークを介して他の情報処理装置１０２から探索要求を受信する場合の作業支援処理手順について説明する。
【０１３０】
図１７のフローチャートにおいて、まず、第２の受信部１１０５により、現在設置作業中の電子機器を接続すべき送配電系統の探索要求を他の情報処理装置１０２から受信したか否かを判断する（ステップＳ１７０１）。
【０１３１】
ここで、探索要求を受信するのを待って（ステップＳ１７０１：Ｎｏ）、受信した場合（ステップＳ１７０１：Ｙｅｓ）、判定部１１０３により、受信された探索要求に含まれる送配電系統の条件と、予め設定されている自系統固有の系統情報とを比較し、（ステップＳ１７０２）、自系統が送配電系統の条件を満たしているか否かを判定する（ステップＳ１７０３）。
【０１３２】
ここで、送配電系統の条件を満たしている場合（ステップＳ１７０３：Ｙｅｓ）、第２の送信部１１０４により、自系統の設置位置に関する位置情報を探索要求の送信元の他の情報処理装置１０２に送信して（ステップＳ１７０４）、本フローチャートによる一連の処理を終了する。一方、送配電系統の条件を満たしていない場合は（ステップＳ１７０３：Ｎｏ）、本フローチャートによる一連の処理を終了する。
【０１３３】
以上説明したように、実施の形態１によれば、電子機器の設置作業時に、テスタ１０１と情報処理装置１０２−１〜１０２−ｎとの電力線通信を利用して、テスタ１０１が接続された送配電系統Ｋ１〜Ｋｎの系統情報を提示することができる。
【０１３４】
これにより、ＣＥは、現在接続中の送配電系統Ｋ１〜Ｋｎの系統情報を確認することができる。また、この送配電系統Ｋ１〜Ｋｎの系統情報と、作業手順書に記載されている現在の作業手順番号の作業内容とを照らし合わせることで、電子機器を接続しようとしている送配電系統Ｋ１〜Ｋｎが正しいものであるか否かを判断することができる。
【０１３５】
また、テスタ１０１に記憶されている電子機器を接続すべき送配電系統の条件を用いて、これから接続しようとしている送配電系統Ｋ１〜Ｋｎが正しいものであるか否かを自動検査することができる。これにより、ＣＥによる作業手順書を見ながらの目視確認が不要となるため、確認ミスを防ぐとともに作業負担を軽減させることができる。
【０１３６】
さらに、これから接続しようとしている送配電系統Ｋ１〜Ｋｎが誤ったものである場合には、接続すべき送配電系統Ｋ１〜Ｋｎの設置位置を提示することができる。これにより、ＣＥは、正しい送配電系統Ｋ１〜Ｋｎの設置位置を把握することができ、系統探索にかかる手間を削減することができる。
【０１３７】
このようなことから、電子機器の設置作業時において、ＣＥによる測定機器、ラベル（目印）、系統図などを用いた複雑な手作業と目視確認を排除することが可能となり、設置作業にかかる作業時間および作業負荷を軽減させることができる。なお、ラベルや系統図の点検作業にテスタ１０１を利用することにより、ラベルや系統図に誤りがないことを確認する点検作業の簡単化を図ることができる。
【０１３８】
（実施の形態２）
つぎに、実施の形態２について説明する。実施の形態１では、可搬型のテスタ１０１について説明したが、実施の形態２では、テスタ１０１を各送配電系統Ｋ１〜Ｋｎに接続される電子機器に内蔵する場合について説明する。なお、実施の形態１において説明した箇所と同一箇所については、同一符号を付して説明を省略する。
【０１３９】
（データセンタの構成）
まず、実施の形態２にかかるデータセンタの構成について説明する。図１８は、データセンタの構成図（その２）である。図１８において、データセンタ１８００は、管理装置１８０１と、サーバ１８０２−１〜１８０２−ｋと、情報処理装置１０２−１〜１０２−ｎと、から構成されている。
【０１４０】
各サーバ１８０２−１〜１８０２−ｋには、テスタ１０１−１〜１０１−ｋ（テスタ１０１に相当）がそれぞれ内蔵されている。管理装置１８０１と、テスタ１０１−１〜１０１−ｋと、情報処理装置１０２−１〜１０２−ｎとは、ＬＡＮ、ＷＡＮ、インターネットなどの第３のネットワークを介して相互に通信可能である。
【０１４１】
管理装置１８０１は、データセンタ１８００の管理者が使用するコンピュータ装置であり、各テスタ１０１−１〜１０１−ｋの動作を制御する機能を有している。また、管理装置１８０１は、各送配電系統Ｋ１〜Ｋｎに取り付けられた情報処理装置１０２−１〜１０２−ｎに系統情報の更新要求を送信する機能を有している。
【０１４２】
ここでは、各サーバ１８０２−１〜１８０２−ｋにそれぞれ内蔵されているテスタ１０１−１〜１０１−ｋと情報処理装置１０２−１〜１０２−ｎとは、サーバ１８０２−１〜１８０２−ｋの電源ケーブルを介して相互に電力線通信をおこなう。
【０１４３】
各テスタ１０１−１〜１０１−ｋには、各サーバ１８０２−１〜１８０２−ｋを接続すべき送配電系統の条件が設定されている。この条件は、各サーバ１８０２−１〜１８０２−ｋの設置作業時にＣＥが設定することとしてもよく、また、各サーバ１８０２−１〜１８０２−ｋの出荷時（たとえば、電子機器のスペックから決まる条件）に設定することとしてもよい。
【０１４４】
さらに、各テスタ１０１−１〜１０１−ｋには、各サーバ１８０２−１〜１８０２−ｋが現在設置されている設置位置に関する位置情報が記憶されている。この位置情報は、たとえば、送配電系統Ｋ１〜ＫｎのコンセントＣ１〜Ｃｎに設定されており、サーバ１８０２−１〜１８０２−ｋの電源ケーブルを介して各テスタ１０１−１〜１０１−ｋに取り込まれることとしてもよい。
【０１４５】
（管理装置のハードウェア構成）
つぎに、実施の形態２にかかる管理装置１８０１のハードウェア構成について説明する。図１９は、実施の形態２にかかる管理装置のハードウェア構成を示すブロック図である。図１９において、管理装置１８０１は、ＣＰＵ１９０１と、ＲＯＭ１９０２と、ＲＡＭ１９０３と、磁気ディスクドライブ１９０４と、磁気ディスク１９０５と、光ディスクドライブ１９０６と、光ディスク１９０７と、ディスプレイ１９０８と、Ｉ／Ｆ１９０９と、キーボード１９１０と、マウス１９１１と、スキャナ１９１２と、プリンタ１９１３と、を備えている。また、各構成部はバス１９００によってそれぞれ接続されている。
【０１４６】
ここで、ＣＰＵ１９０１は、管理装置１８０１の全体の制御を司る。ＲＯＭ１９０２は、ブートプログラムなどのプログラムを記憶している。ＲＡＭ１９０３は、ＣＰＵ１９０１のワークエリアとして使用される。磁気ディスクドライブ１９０４は、ＣＰＵ１９０１の制御にしたがって磁気ディスク１９０５に対するデータのリード／ライトを制御する。磁気ディスク１９０５は、磁気ディスクドライブ１９０４の制御で書き込まれたデータを記憶する。
【０１４７】
光ディスクドライブ１９０６は、ＣＰＵ１９０１の制御にしたがって光ディスク１９０７に対するデータのリード／ライトを制御する。光ディスク１９０７は、光ディスクドライブ１９０６の制御で書き込まれたデータを記憶したり、光ディスク１９０７に記憶されたデータをコンピュータに読み取らせたりする。
【０１４８】
ディスプレイ１９０８は、カーソル、アイコンあるいはツールボックスをはじめ、文書、画像、機能情報などのデータを表示する。このディスプレイ１９０８は、たとえば、ＣＲＴ、ＴＦＴ液晶ディスプレイ、プラズマディスプレイなどを採用することができる。
【０１４９】
インターフェース（以下、「Ｉ／Ｆ」と略する。）１９０９は、通信回線を通じてネットワーク１９１４（たとえば、第３のネットワーク）に接続され、このネットワーク１９１４を介して他の装置に接続される。そして、Ｉ／Ｆ１９０９は、ネットワーク１９１４と内部のインターフェースを司り、外部装置からのデータの入出力を制御する。Ｉ／Ｆ１９０９には、たとえばモデムやＬＡＮアダプタなどを採用することができる。
【０１５０】
キーボード１９１０は、文字、数字、各種指示などの入力のためのキーを備え、データの入力をおこなう。また、タッチパネル式の入力パッドやテンキーなどであってもよい。マウス１９１１は、カーソルの移動や範囲選択、あるいはウィンドウの移動やサイズの変更などをおこなう。ポインティングデバイスとして同様に機能を備えるものであれば、トラックボールやジョイスティックなどであってもよい。
【０１５１】
スキャナ１９１２は、画像を光学的に読み取り、管理装置１８０１内に画像データを取り込む。なお、スキャナ１９１２には、ＯＣＲ（Ｏｐｔｉｃａｌ  Ｃｈａｒａｃｔｅｒ  Ｒｅａｄｅｒ）機能を持たせてもよい。また、プリンタ１９１３は、画像データや文書データを印刷する。プリンタ１９１３には、たとえば、レーザプリンタやインクジェットプリンタを採用することができる。
【０１５２】
（管理装置の機能的構成）
つぎに、図１８に示した管理装置１８０１の機能的構成について説明する。図２０は、管理装置の機能的構成を示すブロック図である。図２０において、管理装置１８０１は、入力部２００１と、送信部２００２と、受信部２００３と、出力部２００４と、を含む構成である。
【０１５３】
この制御部となる機能（入力部２００１〜出力部２００４）は、具体的には、たとえば、図１９に示したＲＯＭ１９０２、ＲＡＭ１９０３、磁気ディスク１９０５、光ディスク１９０７などの記憶領域に記憶されたプログラムをＣＰＵ１９０１に実行させることにより、または、Ｉ／Ｆ１９０９により、その機能を実現する。
【０１５４】
まず、入力部２００１は、データセンタ１８００に設置済みのサーバ１８０２−１〜１８０２−ｋが正しい送配電系統Ｋ１〜Ｋｎに接続されているか否かを検査する検査開始指示の入力を受け付ける機能を有する。検査開始指示は、たとえば、図１９に示したキーボード１９１０やマウス１９１１をユーザが操作することで入力する。
【０１５５】
送信部２００２は、入力部２００１によって検査開始指示が入力された場合、各サーバ１８０２−１〜１８０２−ｋが正しい送配電系統Ｋ１〜Ｋｎに接続されているか否かを検査する検査要求を、各サーバ１８０２−１〜１８０２−ｋに内蔵されたテスタ１０１−１〜１０１−ｋに送信する機能を有する。
【０１５６】
なお、各テスタ１０１−１〜１０１−ｋは、管理装置１８０１から検査要求を受信すると、自装置が正しい送配電系統に接続されているか否かを判定する比較／判定処理を実行し、その判定結果を検査結果として管理装置１８０１に送信することとなる。
【０１５７】
受信部２００３は、送信部２００２によって検査要求が送信された結果、各サーバ１８０２−１〜１８０２−ｋが正しい送配電系統Ｋ１〜Ｋｎに接続されているか否かの検査結果を、各テスタ１０１−１〜１０１−ｋから受信する機能を有する。この検査結果には、各サーバ１８０２−１〜１８０２−ｋが現在設置されている設置位置に関する位置情報が含まれていてもよい。
【０１５８】
出力部２００４は、受信部２００３によって受信された検査結果を出力する機能を有する。出力部２００４による出力形式としては、たとえば、ディスプレイ１９０８への表示、プリンタ１９１３への印刷出力、Ｉ／Ｆ１９０９による外部装置への送信がある。また、ＲＡＭ１９０３、磁気ディスク１９０５、光ディスク１９０７などの記憶領域に記憶することとしてもよい。
【０１５９】
また、入力部２００１は、各送配電系統Ｋ１〜Ｋｎ固有の系統情報に関する更新要求の入力を受け付けることとしてもよい。この更新要求には、更新後の各送配電系統Ｋ１〜Ｋｎ固有の系統情報が含まれている。
【０１６０】
また、送信部２００２は、入力部２００１によって入力された更新要求を、更新対象となる系統情報が設定された情報処理装置１０２−１〜１０２−ｎに送信することとしてもよい。これにより、各送配電系統Ｋ１〜Ｋｎ固有の系統情報を、送配電系統Ｋ１〜Ｋｎの系統性能の変更などに応じて任意に設定することができる。
【０１６１】
なお、各情報処理装置１０２−１〜１０２−ｎは、更新要求を受信すると、その更新要求に従って設定されている系統情報を更新し、更新完了のレスポンスを管理装置１８０１に送信することとなる。これにより、管理装置１８０１において、情報処理装置１０２−１〜１０２−ｎの系統情報の更新処理が正常に実行されたことを認識することができる。
【０１６２】
ここで、ディスプレイ１９０８に表示される検査結果テーブルの具体例について説明する。図２１は、検査結果テーブルの具体例を示す説明図である。図２１において、検査結果テーブル２１００には、検査対象となる各サーバ１８０２−１〜１８０２−ｋの検査結果２１００−１〜２１００−ｋが示されている。
【０１６３】
具体的には、各検査結果２１００−１〜２１００−ｋは、電子機器名、検査結果および設置位置に関する情報を有している。電子機器名は、各サーバ１８０２−１〜１８０２−ｋの名称である。検査結果は、正しい送配電系統Ｋ１〜Ｋｎに接続されているか否かを示す結果である。
【０１６４】
ここでは、正しい送配電系統Ｋ１〜Ｋｎに接続されている場合には「ＯＫ」、誤った送配電系統Ｋ１〜Ｋｎに接続されている場合には「ＮＧ」と表記される。なお、図示は省略するが、検査要求に対するレスポンスがなかった場合には、検査結果の欄に「レスポンスなし」と表記される。
【０１６５】
設置位置は、誤った送配電系統Ｋ１〜Ｋｎに接続されているサーバ１８０２−１〜１８０２−ｋの現在の設置位置を示す位置情報である。ここでは例として、サーバ１８０２−２が設置されているフロア番号「３Ｆ」、シマ番号「４」、ラック番号「２」が表記されている。なお、正しい送配電系統Ｋ１〜Ｋｎに接続されている場合には、設置位置の欄に「Ｎｕｌｌ」と表記される。
【０１６６】
ＣＥは、検査結果テーブル２１００を確認することにより、データセンタ１８００内に設置済みの全サーバ１８０２−１〜１８０２−ｋの接続状況を一括管理することができる。さらに、誤った送配電系統Ｋ１〜Ｋｎに接続されているサーバ１８０２−２の現在の設置位置が提示されるため、送配電系統Ｋ１〜Ｋｎを変更すべきサーバ１８０２−２を迅速かつ的確に見つけ出すことができる。
【０１６７】
ここでは図示は省略するが、検査結果テーブル２１００には、各サーバ１８０２−１〜１８０２−ｋが現在接続されている送配電系統Ｋ１〜Ｋｎや、接続すべき正しい送配電系統Ｋ１〜Ｋｎを特定する情報が検査結果として記憶されていてもよい。これらの情報は、検査結果として各テスタ１０１−１〜１０１−ｋから受信することができる。
【０１６８】
なお、管理装置１８０１は、テスタ１０１−１〜１０１−ｋの比較／判定部５０５の機能を備えることとしてもよい。この場合、管理装置１８０１において、各テスタ１０１−１〜１０１−ｋから、接続すべき送配電系統の条件と、現在接続されている送配電系統Ｋ１〜Ｋｎ固有の系統情報とを収集することで、各サーバ１８０２−１〜１８０２−ｋが正しい送配電系統Ｋ１〜Ｋｎに接続されているか否かを一括検査することができる。
【０１６９】
（管理装置の作業支援処理手順）
つぎに、実施の形態２にかかる管理装置１８０１の作業支援処理手順について説明する。図２２は、管理装置の作業支援処理手順の一例を示すフローチャートである。図２２のフローチャートにおいて、まず、入力部２００１により、データセンタ１８００に設置済みのサーバ１８０２−１〜１８０２−ｋが正しい送配電系統Ｋ１〜Ｋｎに接続されているか否かを検査する検査開始指示が入力されたか否かを判断する（ステップＳ２２０１）。
【０１７０】
ここで、検査開始指示が入力されるのを待って（ステップＳ２２０１：Ｎｏ）、入力された場合（ステップＳ２２０１：Ｙｅｓ）、送信部２００２により、各サーバ１８０２−１〜１８０２−ｋが正しい送配電系統Ｋ１〜Ｋｎに接続されているか否かを検査する検査要求を、各サーバ１８０２−１〜１８０２−ｋに内蔵されたテスタ１０１−１〜１０１−ｋに送信する（ステップＳ２２０２）。
【０１７１】
このあと、受信部２００３により、サーバ１８０２−１〜１８０２−ｋが正しい送配電系統Ｋ１〜Ｋｎに接続されているか否かの検査結果を、テスタ１０１−１〜１０１−ｋから受信したか否かを判断する（ステップＳ２２０３）。
【０１７２】
ここで、検査結果を受信した場合（ステップＳ２２０３：Ｙｅｓ）、検査要求のすべての送信先のテスタ１０１−１〜１０１−ｋから検査結果を受信したか否かを判断し（ステップＳ２２０４）、受信していない場合（ステップＳ２２０４：Ｎｏ）、検査要求を送信してから一定時間経過したか否かを判断する（ステップＳ２２０５）。また、ステップＳ２２０３において、検査結果を受信していない場合にも（ステップＳ２２０３：Ｎｏ）、ステップＳ２２０５に移行する。
【０１７３】
ここで、一定時間経過していない場合（ステップＳ２２０５：Ｎｏ）、ステップＳ２２０３に戻る。一方、一定時間経過した場合（ステップＳ２２０５：Ｙｅｓ）、出力部２００４により、ステップＳ２２０３において受信された検査結果を出力して（ステップＳ２２０６）、本フローチャートによる一連の処理を終了する。
【０１７４】
また、ステップＳ２２０４においてすべての送信先のテスタ１０１−１〜１０１−ｋから検査結果を受信した場合（ステップＳ２２０４：Ｙｅｓ）、出力部２００４により、ステップＳ２２０３において受信された検査結果を出力して（ステップＳ２２０６）、本フローチャートによる一連の処理を終了する。
【０１７５】
実施の形態２によれば、データセンタ１８００内に設置済みのサーバ１８０２−１〜１８０２−ｋの接続状況を、管理装置１８０１において一括管理することができる。これにより、ＣＥが検査のために各サーバ１８０２−１〜１８０２−ｋが設置されている場所まで足を運ぶことなく、正しい送配電系統Ｋ１〜Ｋｎに接続されているか否かを確認することができる。
【０１７６】
また、検査結果として、誤った送配電系統Ｋ１〜Ｋｎに接続されているサーバ１８０２−１〜１８０２−ｋの現在の設置位置を提示することができる。これにより、膨大な台数のサーバ１８０２−１〜１８０２−ｋの中から、誤った送配電系統Ｋ１〜Ｋｎに接続されているサーバ１８０２−１〜１８０２−ｋを的確に見つけ出すことができる。
【０１７７】
なお、本実施の形態で説明した作業支援方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。また、このプログラムは、インターネットなどのネットワークを介して配布することが可能な媒体であってもよい。
【０１７８】
上述した実施の形態１，２に関し、さらに以下の付記を開示する。
【０１７９】
（付記１）電力線通信ネットワークを構成する複数の送配電系統にそれぞれ取り付けられた情報処理装置と、前記各送配電系統を介して電力線通信可能なテスタであって、
電子機器を設置する施設内に配設されたコンセント群から選ばれた任意のコンセントに、前記テスタの電源プラグが接続されたことを検出する検出手段と、
前記複数の送配電系統のうち、前記検出手段によって前記電源プラグの接続が検出されたコンセントを末端とする一の送配電系統に、当該一の送配電系統固有の系統情報に関するリクエストをブロードキャストする送信手段と、
前記送信手段によって前記リクエストがブロードキャストされた結果、前記一の送配電系統に取り付けられた一の情報処理装置から前記一の送配電系統固有の系統情報を受信する受信手段と、
前記受信手段によって受信された系統情報を出力する出力手段と、
を備えることを特徴とするテスタ。
【０１８０】
（付記２）現在設置作業中の電子機器を接続すべき送配電系統の条件と、前記受信手段によって受信された一の送配電系統固有の系統情報と、を比較する比較手段を備え、
前記出力手段は、
前記比較手段によって比較された比較結果を出力することを特徴とする付記１に記載のテスタ。
【０１８１】
（付記３）複数台の電子機器の設置作業に関する一連の作業全体に含まれる作業手順と、前記各電子機器を接続すべき送配電系統の条件と、を関連付けて記憶するテーブルと、
特定の作業手順と関連付けて記憶された送配電系統の条件を前記テーブルの中から抽出する抽出手段と、を備え、
前記比較手段は、
前記抽出手段によって抽出された送配電系統の条件と、前記一の送配電系統固有の系統情報と、を比較することを特徴とする付記２に記載のテスタ。
【０１８２】
（付記４）
前記比較手段は、
前記一の送配電系統の電圧および周波数と、前記現在設置作業中の電子機器を接続すべき送配電系統の電圧および周波数とを比較することを特徴とする付記２または３に記載のテスタ。
【０１８３】
（付記５）前記比較手段は、
前記一の送配電系統の瞬停時間と、前記現在設置作業中の電子機器を接続すべき送配電系統の瞬停時間とを比較することを特徴とする付記２〜４のいずれか一つに記載のテスタ。
【０１８４】
（付記６）前記比較手段は、
前記一の送配電系統のＵＰＳ（Ｕｎｉｎｔｅｒｒｕｐｔｉｂｌｅ  Ｐｏｗｅｒ  Ｓｕｐｐｌｙ）の有無と、前記現在設置作業中の電子機器を接続すべき送配電系統のＵＰＳの有無とを比較することを特徴とする付記２〜５のいずれか一つに記載のテスタ。
【０１８５】
（付記７）前記比較手段は、
前記一の送配電系統のバックアップ時間と、前記現在設置作業中の電子機器を接続すべき送配電系統のバックアップ時間とを比較することを特徴とする付記２〜６のいずれか一つに記載のテスタ。
【０１８６】
（付記８）前記比較手段によって比較された比較結果に基づいて、前記テスタが正しい送配電系統に接続されているか否かを判定する判定手段を備え、
前記出力手段は、
前記判定手段によって判定された判定結果を出力することを特徴とする付記２〜７のいずれか一つに記載のテスタ。
【０１８７】
（付記９）前記送信手段は、
前記現在設置作業中の電子機器を接続すべき送配電系統の探索要求を、前記一の送配電系統にブロードキャストし、
前記受信手段は、
前記送信手段によって前記探索要求がブロードキャストされた結果、前記テスタを接続すべき送配電系統の設置位置に関する位置情報を前記一の情報処理装置から受信し、
前記出力手段は、
前記受信手段によって受信された位置情報を出力することを特徴とする付記８に記載のテスタ。
【０１８８】
（付記１０）前記送信手段は、
前記判定手段によって前記テスタが正しい送配電系統に接続されていないと判定された場合、前記探索要求を前記一の情報処理装置に送信することを特徴とする付記９に記載のテスタ。
【０１８９】
（付記１１）前記受信手段は、
前記送信手段によって前記探索要求が送信された結果、前記テスタを接続すべき送配電系統が存在しない旨のメッセージ情報を前記一の情報処理装置から受信し、
前記受信手段によって受信されたメッセージ情報を出力することを特徴とする付記９または１０に記載のテスタ。
【０１９０】
（付記１２）電力線通信ネットワークを構成する一の送配電系統に取り付けられ、当該一の送配電系統を介してテスタと電力線通信可能な情報処理装置であって、
電子機器を設置する施設内に配設された前記一の送配電系統のコンセントに、前記テスタの電源プラグが接続された結果、前記一の送配電系統固有の系統情報に関するリクエストを前記テスタから受信する受信手段と、
前記受信手段によって前記リクエストが受信された場合、予め設定された前記一の送配電系統固有の系統情報を前記テスタに送信する送信手段と、
を備えることを特徴とする情報処理装置。
【０１９１】
（付記１３）前記一の送配電系統が特定の電子機器を接続すべき送配電系統の条件を満たしているか否かを判定する判定手段を備え、
前記受信手段は、
現在設置作業中の電子機器を接続すべき送配電系統の条件を前記テスタから受信し、
前記判定手段は、
前記受信手段によって受信された送配電系統の条件と、前記一の送配電系統固有の系統情報とを比較することにより、前記一の送配電系統が前記条件を満たしているか否かを判定し、
前記送信手段は、
前記判定手段によって判定された判定結果を前記テスタに送信することを特徴とする付記１２に記載の情報処理装置。
【０１９２】
（付記１４）前記判定手段によって前記一の送配電系統が前記条件を満たしていると判定された場合、前記一の送配電系統のコンセントに設けられた発光装置に点灯信号を出力する出力手段を備えることを特徴とする付記１３に記載の情報処理装置。
【０１９３】
（付記１５）前記送配電系統ごとに取り付けられた情報処理装置間を接続する通信ネットワークを介して、他の情報処理装置と通信する通信手段を備え、
前記通信手段は、
前記判定手段によって前記一の送配電系統が前記条件を満たしていないと判定された場合、前記現在設置作業中の電子機器を接続すべき送配電系統の探索要求を前記他の情報処理装置に送信することを特徴とする付記１３または１４に記載の情報処理装置。
【０１９４】
（付記１６）前記受信手段は、
前記現在設置作業中の電子機器を接続すべき送配電系統の探索要求を前記テスタから受信し、
前記通信手段は、
前記受信手段によって前記探索要求が受信された場合、当該探索要求を前記他の情報処理装置に送信することを特徴とする付記１３〜１５のいずれか一つに記載の情報処理装置。
【０１９５】
（付記１７）前記通信手段は、
前記他の情報処理装置に前記探索要求が送信された結果、前記条件を満たす送配電系統の設置位置に関する位置情報を、当該送配電系統に取り付けられた他の情報処理装置から受信し、
前記送信手段は、
前記通信手段によって受信された位置情報を前記テスタに送信することを特徴とする付記１６に記載の情報処理装置。
【０１９６】
（付記１８）前記通信手段は、
前記現在設置作業中の電子機器を接続すべき送配電系統の探索要求を前記他の情報処理装置から受信し、
前記判定手段は、
前記通信手段によって受信された探索要求に含まれる送配電系統の条件と、前記一の送配電系統固有の系統情報とを比較することにより、前記一の送配電系統が前記条件を満たしているか否かを判定することを特徴とする付記１３〜１７のいずれか一つに記載の情報処理装置。
【産業上の利用可能性】
【０１９７】
以上のように、テスタおよび情報処理装置は、複数台の電子機器を収容可能なデータセンタやサーバルームなどにおける電子機器の設置作業に有用である。
【図面の簡単な説明】
【０１９８】
【図１】データセンタの構成図（その１）である。
【図２】テスタの外観を示す斜視図である。
【図３】条件テーブルの記憶内容の一例を示す説明図である。
【図４】実施の形態１にかかるコンピュータ装置のハードウェア構成を示すブロック図である。
【図５】テスタの機能的構成を示すブロック図である。
【図６】送配電系統固有の系統情報の具体例を示す説明図である。
【図７】テスタのディスプレイに表示される画面例（その１）である。
【図８】テスタのディスプレイに表示される画面例（その２）である。
【図９】テスタのディスプレイに表示される画面例（その３）である。
【図１０】テスタのディスプレイに表示される画面例（その４）である。
【図１１】情報処理装置の機能的構成を示すブロック図である。
【図１２】発光装置の具体例を示す説明図である。
【図１３】テスタの作業支援処理手順の一例を示すフローチャート（その１）である。
【図１４】テスタの作業支援処理手順の一例を示すフローチャート（その２）である。
【図１５】情報処理装置の作業支援処理手順の一例を示すフローチャート（その１）である。
【図１６】情報処理装置の作業支援処理手順の一例を示すフローチャート（その２）である。
【図１７】情報処理装置の作業支援処理手順の一例を示すフローチャート（その３）である。
【図１８】データセンタの構成図（その２）である。
【図１９】実施の形態２にかかる管理装置のハードウェア構成を示すブロック図である。
【図２０】管理装置の機能的構成を示すブロック図である。
【図２１】検査結果テーブルの具体例を示す説明図である。
【図２２】管理装置の作業支援処理手順の一例を示すフローチャートである。
【符号の説明】
【０１９９】
１００，１８００  データセンタ
１０１  テスタ
１０２−１〜１０２−ｎ  情報処理装置
５０１  入力部
５０２  検出部
５０３  送信部
５０４  受信部
５０５  比較／判定部
５０６  出力部
１１０１  第１の受信部
１１０２  第１の送信部
１１０３  判定部
１１０４  第２の送信部
１１０５  第２の受信部
１１０６  出力部
２００１  入力部
２００２  送信部
２００３  受信部
２００４  出力部
Ｃ１〜Ｃｎ  コンセント
Ｋ１〜Ｋｎ  送配電系統
【図１】
2010011585.tif 000003
【図２】
2010011585.tif 000004
【図３】
2010011585.tif 000005
【図４】
2010011585.tif 000006
【図５】
2010011585.tif 000007
【図６】
2010011585.tif 000008
【図７】
2010011585.tif 000009
【図８】
2010011585.tif 000010
【図９】
2010011585.tif 000011
【図１０】
2010011585.tif 000012
【図１１】
2010011585.tif 000013
【図１２】
2010011585.tif 000014
【図１３】
2010011585.tif 000015
【図１４】
2010011585.tif 000016
【図１５】
2010011585.tif 000017
【図１６】
2010011585.tif 000018
【図１７】
2010011585.tif 000019
【図１８】
2010011585.tif 000020
【図１９】
2010011585.tif 000021
【図２０】
2010011585.tif 000022
【図２１】
2010011585.tif 000023
【図２２】
2010011585.tif 000024